(57)【要約】      （修正有）【課題】ミラーを見ながらまつ毛にマスカラを付けるお化粧の最中に、マスカラ容器が倒れてしまう可能性を無くすことができるクリップ付き回転ミラーを提供する。【解決手段】細い筒状のマスカラ容器に着脱自在に装着できるクリップ１９に回転可能に取り付けられるミラー２１が、マスカラ容器に略直角な状態、および略平行な状態をとることができる。すなわち、クリップ１９は、マスカラ容器を狭持する狭持部２３と、この狭持部２３に連続的に形成され指で操作されるつまみ２７と、前記狭持部２３とつまみ２７が2対対向して配置されて、前記連続する部分を互いに軸支する支軸２８と、この支軸２８周りに設けられて前記狭持部２３を閉じる方向に付勢するバネ２９と、を有する。ミラー２１は、狭持部２３に対して回転軸３１により取り付けられている。【選択図】図２
2006288715.tif 000002
【特許請求の範囲】
【請求項１】
細い筒状のマスカラ容器に着脱自在に装着できるクリップと、このクリップに回転可能に取り付けられ前記マスカラ容器に略直角な状態および略平行な状態をとることができるミラーと、を有することを特徴とするクリップ付き回転ミラー。
【請求項２】
前記クリップは、マスカラ容器を狭持する狭持部と、この狭持部に連続的に形成され指で操作されるつまみと、前記狭持部とつまみが2対対向して配置されて、前記連続する部分を互いに軸支する支軸と、この支軸周りに設けられて前記狭持部を閉じる方向に付勢するバネと、を有し、前記ミラーは、前記狭持部に対して回転軸により取り付けられていることを特徴とする請求項１に記載のクリップ付き回転ミラー。
【発明の詳細な説明】
【技術分野】
【０００１】
この発明は、マスカラをまつ毛に付ける際に使用するミラーに関する。
【背景技術】
【０００２】
女性がお化粧するときに、まつ毛を長く見せるために、マスカラをまつ毛に付ける。その際に、通常は、左手でマスカラ容器を持ち、右手でマスカラ容器のキャップを外し、キャップに取り付けられている長いブラシで、このブラシに付着しているマスカラを、まつ毛に上手に正確に塗布しなければならない。そのためには、目元のまつ毛をミラーで映しながら塗布を行う必要がある。
【０００３】
そのようなミラーとして、下記の特許文献1には、目元を横に長く映すための折りたたみ式の横長のミラーが開示される。
【特許文献１】特開２００１−２５４１０
【０００４】
この特許文献１のようなミラーを用いるときには、女性はまず、左手でマスカラ容器を持ち、右手でマスカラ容器のキャップを外し、左手のマスカラ容器を化粧台の上などに置き、左手でミラーを持ち、そのミラーでまつ毛を映しながら、右手で持ったキャップに取り付けられている長いブラシで、まつ毛に塗布しなければならない。
あるいは、左手でマスカラ容器と上記特許文献1のような手持ちミラーを同時に持ち、右手で持ったキャップのブラシで塗布しなければならない。
【発明の開示】
【発明が解決しようとする課題】
【０００５】
しかしながら、特許文献1のようなミラーを用いると、左手のマスカラ容器を化粧台の上などに置く必要があるが、細い筒状のマスカラ容器は不安定で倒れやすく、倒れるとマスカラがこぼれてしまう。
【０００６】
さらに、一旦なんとかこぼれないように置いても、ブラシに再びマスカラを付けるには、ミラーを置いてマスカラ容器を取り上げて、ブラシをマスカラ容器に挿入して引き出し、再び、左手のマスカラ容器を化粧台の上などに置き、左手でミラーを持つという動作を繰り返さなければならない。この繰り返しの度に、細い筒状のマスカラ容器が倒れ、マスカラがこぼれてしまうリスクが繰り返される。
あるいは、左手でマスカラ容器と手持ちミラーを同時に持てば、マスカラ容器が倒れることはないが、左手の五本の指でマスカラ容器と手持ちミラーを保持し、且つ手持ちミラーをうまく操作してまつ毛を映さなければならない。これは大変に不便な作業である。
【０００７】
この発明は、以上の問題点を解決するために、ミラーを見ながらまつ毛にマスカラを付けるお化粧の最中にマスカラ容器が倒れてしまう可能性を無くすことができ、更に、片手でマスカラ容器と手持ちミラーを同時に持つ不便な作業を軽減できるクリップ付き回転ミラーを提供することを目的とする。
【課題を解決するための手段】
【０００８】
以上の課題を解決するために、第一発明は、細い筒状のマスカラ容器に着脱自在に装着できるクリップと、このクリップに回転可能に取り付けられ前記マスカラ容器に略直角な状態および略平行な状態をとることができるミラーと、を有することを特徴とするクリップ付き回転ミラーである。
【０００９】
第二発明は、さらに、前記クリップは、マスカラ容器を狭持する狭持部と、この狭持部に連続的に形成され指で操作されるつまみと、前記狭持部とつまみが2対対向して配置されて、前記連続する部分を互いに軸支する支軸と、この支軸周りに設けられて前記狭持部を閉じる方向に付勢するバネと、を有し、前記ミラーは、前記狭持部に対して回転軸により取り付けられている特徴とするクリップ付き回転ミラーである。
【発明の効果】
【００１０】
第一又は第二発明によれば、マスカラ容器にクリップを介してミラーを装着できるので、マスカラ容器を手に持ったままミラーを扱うことができ、よって細いマスカラ容器を化粧台の上などに置く必要がなく、倒してマスカラをこぼしてしまうことが無い。ブラシに再びマスカラを付ける場合にも、マスカラ容器を手に持ったままで、ブラシをマスカラ容器に挿入して引き出すことができ、よって、マスカラがこぼれてしまうリスクは極めて少ない。
また、片手でマスカラ容器と手持ちミラーを同時に持つ必要がなく、マスカラ容器をもってミラーの操作を行うことができ、作業の不便さを軽減できる。
【００１１】
第二発明によれば、さらに、シンプルな構造で済む。また、ミラーは、狭持部に対して取り付けられているので、ミラーがマスカラ容器に略平行な状態をとる際に、ミラーとマスカラ容器の間の間隔を小さくでき、クリップを装着したままでコンパクトな折畳状態を実現できる。
【発明を実施するための最良の形態】
【００１２】
この発明の実施形態を、図１および図２に示す。
細い筒状のマスカラ容器１は、容器本体３の口部５の周囲に雄ネジ７が形成され、この雄ネジ７に螺合する雌ネジ９がキャップ１１の内周に形成される。キャップ１１には口部５側に同軸状態でブラシ１３の棒１５が取り付けられ、棒１５の先端にブラシ部分１７が形成される。容器本体３の中には、マスカラが収納される。
【００１３】
ブラシ部分１７は、まつ毛にマスカラを塗布する必要上、径が小さく設定され、それにより棒１５も径が小さい。また、容器本体３の中で残り少なくなったマスカラも無駄なく使用できるように、ブラシ１３の棒１５は容器本体３の底部に届くよう長く設定される。よって、ブラシ１３の全体形状は細く長い。さらに、容器本体３の中でマスカラが無駄なくブラシ１３に付着できるように、容器本体３の内径および長さは、細長いブラシ１３の形状に対応して、細長い筒状を有する。このため、容器本体３の外形状も、細長い筒状を有する。
【００１４】
この細い筒状のマスカラ容器１の容器本体３へ、着脱自在に装着できるクリップ１９に、ミラー２１が回転可能に取り付けられる。
【００１５】
クリップ１９は、全体が略Ｘ形状を有する。素材は、アルミ、プラスチックなどが用いられる。Ｘ形状の片側は、マスカラ容器１を狭持する一対の対向する狭持部２３となる。狭持部２３は、円弧状の形状を有し、内周面２５にゴムなどの滑り止め材を設け、細い筒状のマスカラ容器１の外周にフィットさせる。Ｘ形状の反対側は、指で操作される一対の対向するつまみ２７となる。
【００１６】
一つの狭持部２３には一つのつまみ２７が連続的に形成される。そして、狭持部２３とつまみ２７が連続形成されたものが、２対対向して配置されて、それぞれの中央の連続する部分が互いに軸支される。この軸支を行う支軸２８の周りに、コイルバネ２９（端部の脚部のみが図示される）が設けられて、狭持部２３を閉じる方向に付勢する。
【００１７】
ミラー２１は、つまみ２７に対してネジなどの回転軸３１により取り付けられている。ミラー２１は、細長い長方形を有し、回転により、マスカラ容器１に略直角な状態、または略平行な状態をとることができる。この回転が指で容易に行われ、且つ上記二つの姿勢が維持できるように、回転軸３１は適度な摩擦を伴ってミラー２１を取り付ける。
【００１８】
「実施形態の作用・効果」
この実施形態によれば、マスカラ容器１の容器本体３にクリップ１９を介してミラー２１を装着し、ミラー２１をマスカラ容器１に略直角な状態にし、例えば左手でマスカラ容器１を手に持ったままミラー２１を扱って、まつ毛を映して見ることができ、そして、右手で持って外したキャップ１１に取り付けられているブラシ１３で、マスカラをまつ毛に塗布する。
【００１９】
このため、細いマスカラ容器１を化粧台の上などに置く必要がなく、倒してマスカラをこぼしてしまうことが無い。さらに、ブラシ１３に再びマスカラを付ける場合にも、マスカラ容器１を手に持ったままで、ブラシ１３をマスカラ容器１に挿入して引き出すことができ、マスカラがこぼれてしまうリスクは極めて少ない。
また、マスカラ容器のみを持てばミラーの操作を行うことができ、従来のように片手でマスカラ容器と手持ちミラーを同時に持つ必要がなく、作業の不便さを軽減できる。
【００２０】
さらに、クリップ１９やミラー２１の取り付けは、シンプルな構造で済む。
このクリップ付き回転ミラーは、マスカラ容器１だけではなく、口紅の容器や万年筆などの筒状の筆記用具にも補助的に使用できる。
「他の実施形態」
以上の実施形態では、 ミラー２１は細長い長方形であったが、他の実施形態では、例えば図３に示すようにハート形などの他の形状でも良い。
【００２１】
以上の実施形態では、ミラー２１は狭持部２３に対して回転軸３１により取り付けられるのもであったが、他の実施形態では、例えば図４に示すように狭持部２３に対して取り付けられるものでもよい。このようにしてミラー２１をマスカラ容器１に近づけることができ、ミラー２１がマスカラ容器１に略平行な状態をとる際に、ミラー２１とマスカラ容器１の間の間隔を小さくでき、クリップ１９を装着したままでコンパクトな折畳状態を実現でき、ハンドバッグなどに納めやすくなる。
【００２２】
また、図4に示すように、クリップ１９やミラー２１の部分に、花の形などの装飾３３を施すことができる。
また、クリップ１９の色や形、ミラー２１の形、装飾は色々なものが使用できる。
【００２３】
また、以上の実施形態では、ミラー２１はピン結合の回転軸３１により平面内で回転可能に取り付けられるものであったが、他の実施形態では、球状の結合などにより立体的な空間内で自在に回転するように取り付けることも可能である。
【図面の簡単な説明】
【００２４】
【図１】この発明の一実施形態にかかるクリップ付き回転ミラーの使用状態を示すもので、（Ａ）はキャップを外した使用状態を示す斜視図、（Ｂ）はキャップを締めた折畳状態を示す斜視図である。
【図２】図１のクリップ付き回転ミラーを示す斜視図である。
【図３】他の実施形態にかかるクリップ付き回転ミラーを示す斜視図である。
【図４】さらに他の実施形態にかかるクリップ付き回転ミラーを示す斜視図である。
【符号の説明】
【００２５】
１…マスカラ容器、３…容器本体、５…口部、７…雄ネジ、９…雌ネジ、１１…キャップ、１３…ブラシ、１５…棒、１７…ブラシ部分、１９…クリップ、２１…ミラー、２３…狭持部、２５…内周面、２７…支軸、２９…コイルバネ、３１…回転軸。
【図１】
2006288715.tif 000003
【図２】
2006288715.tif 000004
【図３】
2006288715.tif 000005
【図４】
2006288715.tif 000006